(57)【要約】【課題】電源アダプターの使用寿命を延長し、電力伝送の効率を大幅に向上させることができる電源アダプターの散熱ユニット。【解決手段】少なくとも１個の収容設置空間111を備え、少なくとも１個の電源アダプター2を収容設置可能な少なくとも１個の収容設置部11、及び複数の散熱フィン121を備える散熱部12からなり、各散熱フィン121は収容設置部11の外側表面から反対の収容設置部11方向へと延伸する。これにより、散熱ユニット1は電源アダプター2が発生する熱を、散熱部12から外部へと放散することができ、散熱の効果を確実に達成することができる。【選択図】図１
0003150199.tif 000002
【実用新案登録請求の範囲】
【請求項１】
電源アダプターを収容して設置する少なくとも１個の収容設置空間及び複数の散熱フィンを備える散熱部からなり、
前記散熱フィンは、前記収容設置空間の外側表面から反対の該収容設置部方向へと延伸したことを特徴とする電源アダプターの散熱ユニット。
【請求項２】
前記各散熱フィン間には、散熱流道を備えたことを特徴とする請求項１記載の電源アダプターの散熱ユニット。
【請求項３】
前記収容設置空間には、少なくとも１個の調整部を備える接触定位部品を設置して該接触定位部品の電源アダプターへの圧迫具合を調整可能にしたことを特徴とする請求項１記載の電源アダプターの散熱ユニット。
【請求項４】
前記接触定位部品は板体で形成され、該板体は電源アダプターの片側に対応して平面で、反対側には前記調整部を設置したことを特徴とする請求項３記載の電源アダプターの散熱ユニット。
【請求項５】
前記調整部は棒体及び調節体を備え、該棒体表面には、外ネジヤマを設置し、その一端は、前記接触定位部品に連接し、反対端は収容設置空間及び散熱部を貫通すると共に、前記調節体の反対端は、前記棒体上に嵌設し、前記外ネジヤマに対応する内ネジヤマを設置したことを特徴とする請求項３又は４記載の電源アダプターの散熱ユニット。
【請求項６】
前記調節体一端には、唇部を設置し、該唇部は、前記散熱部に接触したことを特徴とする請求項５記載の電源アダプターの散熱ユニット。
【請求項７】
前記収容設置部はさらに、少なくとも１個の凹槽を備え、該凹槽は前記収容設置空間及び散熱部に連通したことを特徴とする請求項１記載の電源アダプターの散熱ユニット。
【考案の詳細な説明】
【技術分野】
【０００１】
本考案は、電源アダプターの散熱性能を高め、アダプターの寿命を延長し、電力伝送の性能を向上させる電源アダプターの散熱ユニットに関するものである。
【背景技術】
【０００２】
現在市販されている電子製品の多くは、使用時に、電源アダプターを用い、家庭用電源（商用電源）を変圧し、交流電力を直流電力に変換する必要がある。
【０００３】
電流が電源アダプターを通過する時、内部電子部品の金属部分は熱を発生し、伝送効率に影響を及ぼす。
【０００４】
導体である前記金属の電気抵抗は、該金属の温度が上昇すると、それに対応して増大する。
【０００５】
すなわち、自由電子は外電界作用下において一定方向の運動を行い、得られたエネルギーにより自由電子は直接より高いエネルギーレベル状態に変転し、より高いエネルギーレベル状態にある自由電子は不安定であるため、電磁放射を通してより低いエネルギーレベル状態へと変転し、これにより自由電子の外電界作用下での一定方向の運動は乱され、外電界作用下で自由電子に伝達するエネルギーを放射し、電気エネルギーを熱エネルギーに転化する。
【０００６】
前記導体の温度が高ければ、電磁放射に関わる自由電子もより多くなり、自由電子は外電界作用下において一定方向の運動を行う時、より容易により高いエネルギーレベル状態に変転され、さらに、電磁放射を通して基底状態に戻り、外電界作用下において自由電子を伝達するエネルギーを放射し、電気エネルギーを熱エネルギーに転化する。
【０００７】
よって、導体の電気抵抗は、導体の温度上昇に従い、それに対応して増大する。
【０００８】
しかしながら、前記電源アダプターが発生する熱が、適当に発散されなければ、該アダプターの電力伝送と電圧変換の性能に悪影響を及ぼす。
【０００９】
すなわち、従来の技術には以下のような欠点が存在する。
【００１０】
1. 散熱効率が悪い。
【００１１】
2. 電気エネルギー伝送効率が劣る。
【００１２】
3. 電源アダプター内部の部品が損壊し易い。
【００１３】
本考案は、従来の電源アダプターの前記した欠点に鑑みてなされたものである。
【先行技術文献】
【特許文献】
【００１４】
【特許文献１】実用新案登録第３１３３３３６号
【考案の概要】
【考案が解決しようとする課題】
【００１５】
本考案が解決しようとする課題は、電源アダプターの散熱性能を向上して寿命を延長することができる電源アダプターの散熱ユニットを提供することである。
【課題を解決するための手段】
【００１６】
上記課題を解決するため、本考案による電源アダプターの散熱ユニットは、少なくとも１個の収容設置空間及び少なくとも１個の凹槽を備えた少なくとも１個の収容設置部、及び複数の散熱フィンを備えた散熱部からなり、
前記収容設置空間には少なくとも１個の電源アダプターを収容して設置することができ、
前記凹槽は前記収容設置空間及び散熱部に連通し、
前記各散熱フィンは収容設置部の外側表面から反対の該収容設置部方向へと延伸し、該各散熱フィン間には散熱流道を備え、散熱流体を通過させることができる。
【００１７】
電源アダプターを散熱ユニット内に設置することで、該散熱ユニットは電源アダプターが発生する熱を外部へと発散し、散熱の効果を達成し、これにより電源アダプターは電気エネルギーの伝送時に、より良い伝送効率を実現することができる。
【考案の効果】
【００１８】
本考案の電源アダプターの散熱ユニットによれば、散熱性能を向上してアダプターの寿命を延長すると共に、アダプターの電気エネルギー伝送効率を高めることができる。
【図面の簡単な説明】
【００１９】
【図１】本考案の実施例に係る電源アダプターの散熱ユニットを示す斜視図である。
【図２】本考案の実施例に係る電源アダプターの散熱ユニットに電源アダプターを装着した状態を示す斜視図である。
【図３】本考案の第二実施例に係る電源アダプターの散熱ユニットを示す斜視図である。
【図４】本考案の第二実施例に係る電源アダプターの散熱ユニットを示す平面図である。
【図５】本考案の第二実施例に係る電源アダプターの散熱ユニットを示す要部拡大断面図である。
【図６】本考案の第三実施例に係る電源アダプターの散熱ユニットを示す斜視図である。
【考案を実施するための形態】
【００２０】
以下、図面を参照しながら本考案を実施するための最良の形態について詳細に説明する。
【実施例】
【００２１】
図１及び図２は、本考案電源アダプターの散熱ユニットの第一実施例を示し、電源アダプターの散熱ユニット1は、少なくとも１個の収容設置空間111及び少なくとも１個の凹槽112を備える少なくとも１個の収容設置部11、及び散熱部12からなる。
【００２２】
前記凹槽112は、前記収容設置部11及び散熱部12に連通している。該収容設置空間111には、少なくとも１個の電源アダプター2を収容して設置することができる。該電源アダプター2の伝送導線21は設置の便のため、前記凹槽112から外へと延伸する。
【００２３】
前記散熱部12は、複数の散熱フィン121を備え、該各散熱フィン121は、前記収容設置部11外側表面から反対側の収容設置部11の方向へと延伸して構成されている。
【００２４】
前記各散熱フィン121間には、散熱流道1211を備え、散熱流体が該散熱流道1211間において対流を発生し、電源アダプター2が発生する熱を確実に外部へと発散するようになっている。
【００２５】
前記電源アダプター2を前記アダプター散熱ユニット1内に設置することにより、該アダプター散熱ユニット1は該アダプター2が発生する熱を確実に外部へと発散し、散熱の効果を達成することができる。
【００２６】
こうして、電気エネルギー伝送時に、電源アダプター2はより良い伝送効率を備え、しかも過熱の現象は発生せず、伝送効率を高めることができる他に、電源アダプター2の使用寿命を延長することもできる。
【００２７】
図3、4、5は第二実施例を示し、前記収容設置空間111は、さらに接触定位部品3を設置することができるようになっている。該接触定位部品3は、少なくとも１個の調整部31を備え、接触定位部品3の電源アダプター2への圧迫具合を調整することができる。
【００２８】
前記接触定位部品3は、板体であり、該板体は、電源アダプター2の片側に対応して平面を呈し、しかも反対側に調整部31を設置している。該調整部31は、棒体311及び調節体312を備え、該棒体311表面には、外ネジヤマ3111を設置し、しかもその一端は、接触定位部品3に連接し、その反対端は、前記収容設置部11及び散熱部12を貫通している。前記調節体312の反対端は、棒体311上に嵌設し、外ネジヤマ3111に対応する内ネジヤマ3112を設置している。
【００２９】
前記調節体3の一端には、唇部32を設置し、該唇部32は、前記散熱部12に接触し、これにより電源アダプター2と該電源アダプターの散熱ユニット1とは接触し、熱抵抗の発生を減少させることができる。
【００３０】
図６は、本考案の第三実施例の電源アダプター散熱ユニットを示す斜視図であり、同図に示すように、電源アダプターの散熱ユニット1は、複数の散熱フィン121により構成する第一散熱部13及び第二散熱部14からなる。
【００３１】
前記各散熱フィン121は、収容設置部11外側表面から反対側の該収容設置部11の方向へと延伸して構成し、第一散熱部13と第二散熱部14は、相互に垂直を呈して交差する。
【００３２】
前述の本考案の実施例における名称と構成内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３３】
本考案の電源アダプターの散熱ユニットは、使用時に、その機能と効果及び目的を確実に達成することができるため、極めて実用性の高い考案である。
【符号の説明】
【００３４】
1  アダプター散熱ユニット
11  収容設置部
111  収容設置空間
112  凹槽
12  散熱部
121  散熱フィン
1211  散熱流道
13  第一散熱部
14  第二散熱部
2  アダプター
21  伝送導線
3  接触定位部品
31  調整部
311  棒体
3111  外ネジヤマ
312  調節体
32  唇部
【図１】
0003150199.tif 000003
【図２】
0003150199.tif 000004
【図３】
0003150199.tif 000005
【図４】
0003150199.tif 000006
【図５】
0003150199.tif 000007
【図６】
0003150199.tif 000008